【事件の表示】
　特願２０１４−１８５９７４「変化するシート抵抗を有するタッチスクリーンセンサ」拒絶査定不服審判事件〔平成２７年　１月　８日出願公開、特開２０１５−　　５３０６、請求項の数（１１）〕について、次のとおり審決する。
【結　論】
　原査定を取り消す。
　本願の発明は、特許すべきものとする。
【理　由】
第１　手続の経緯
　本願は、平成２１年２月２６日（パリ条約による優先権主張外国庁受理２００８年２月２８日、米国、２００８年２月２８日、米国）を国際出願日とする出願である特願２０１０−５４８８５９号（原出願）の一部を平成２６年９月１２日に新たな特許出願としたものであって、平成２７年１０月２３日付けで拒絶理由通知がされ、平成２８年２月１９日付けで手続補正がされ、同年３月９日付けで拒絶理由通知（最後）がされ、同年９月１４日付けで意見書が提出され、同年９月３０日付けで拒絶査定（原査定）がされ、これに対し、平成２９年２月６日に拒絶査定不服審判の請求がされ、同年２月１０日付けで審判請求書の手続補正がされたものである。
第２　原査定の概要
　原査定（平成２８年９月３０日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　　　１−１１
・引用文献等　１
　　　　　　　　　　　　　＜引用文献等一覧＞
１.特開２００６−３４４１６３号公報
第３　本願発明
　本願請求項１〜１１に係る発明（以下、それぞれ「本願発明１」〜「本願発明１１」という。）は、平成２８年２月１９日付けの手続補正書により補正された特許請求の範囲の請求項１〜１１に記載された事項により特定される発明であり、以下のとおりの発明である。
「【請求項１】
　タッチスクリーンセンサであって、
　可視光透明基材と、
　前記可視光透明基材の上又は中に配置される導電性微小パターンであって、前記微小パターンは、接触感知領域内の第１区域微小パターン及び第２区域微小パターンを含み、前記第１区域微小パターン及び前記第２区域微小パターンの各々は、均一の厚さ及び組成を有する金属配線を含む、導電性微小パターンと、
　を含み、
　前記第１区域微小パターンは、第１の方向において、第１シート抵抗値を有する第１メッシュを含み、可視光透明であり、少なくとも９０％の開口を有し、
　前記第２区域微小パターンは、前記第１メッシュと異なる第２メッシュを含み、前記第１の方向において、第２シート抵抗値を有し、
　前記第１シート抵抗値は、前記第２シート抵抗値とは異なり、
　該タッチスクリーンセンサは、１ｍｍ×１ｍｍの正方形区域を有する該接触感知領域に対して、該正方形区域のいずれもが該正方形区域全体の平均から１０％超異なる遮蔽面積率を有しないようにして、該接触感知領域にわたって均一な光透過率を有する、
　タッチスクリーンセンサ。
　　【請求項２】
　該第１メッシュと該第２メッシュとが不均一である、請求項１に記載のタッチスクリーンセンサ。
　　【請求項３】
　シート抵抗が、該第１区域から該第２区域へと連続的に変化する、請求項１に記載のタッチスクリーンセンサ。
　　【請求項４】
　タッチスクリーンセンサであって、
　可視光透明基材と、
　前記可視光透明基材の上又は中に配置される導電性微小パターンであって、前記微小パターンは、接触感知領域内に均一の厚さ及び組成を有する二次元の不均一な第１金属メッシュを含む第１区域微小パターンを含む、導電性微小パターンと、
　を含み、
　前記第１区域微小パターンは、異方性第１シート抵抗を有し、可視光透明であり、少なくとも９０％の開口を有し、
　該タッチスクリーンセンサは、１ｍｍ×１ｍｍの正方形区域を有する該接触感知領域に対して、該正方形区域のいずれもが該正方形区域全体の平均から１０％超異なる遮蔽面積率を有しないようにして、該接触感知領域にわたって均一な光透過率を有する、
　タッチスクリーンセンサ。
　　【請求項５】
　該微小パターンが、該第１金属メッシュと異なる二次元の第２金属メッシュを含む第２区域微小パターンを更に含み、該第１金属メッシュが該接触感知領域内に位置し、該第２金属メッシュが該接触感知領域内に位置しない、請求項４に記載のタッチスクリーンセンサ。
　　【請求項６】
　該第２金属メッシュが不均一である、請求項５に記載のタッチスクリーンセンサ。
　　【請求項７】
　該異方性第１シート抵抗が周期的なシート抵抗を含む、請求項４に記載のタッチスクリーンセンサ。
　　【請求項８】
　該第１区域微小パターンが、該第１金属メッシュの導電配線に選択的な断絶部を有することによって異方性第１シート抵抗を有する、請求項４に記載のタッチスクリーンセンサ。
　　【請求項９】
　該異方性第１シート抵抗が、連続的に変化するシート抵抗を含む、請求項４に記載のタッチスクリーンセンサ。
　　【請求項１０】
　タッチスクリーンセンサであって、
　可視光透明基材と、
　前記可視光透明基材の上又は中に配置される導電性微小パターンであって、前記微小パターンは、
　　接触感知領域内の第１区域微小パターン及び第２区域微小パターンを含み、前記第１区域微小パターン及び前記第２区域微小パターンの各々は、均一の厚さを有する金属配線を含み、
　　前記導電性微小パターンは、５００ナノメートル未満の厚さ、及び０．５〜５マイクロメートルの幅を有する金属の線形導電性構造を含み、
　　前記第１区域微小パターンは、第１の方向において５〜５００Ω／スクエアの第１シート抵抗値を有する第１不均一メッシュを含み、可視光透明であり、９５％〜９９．５％の開口を有し、
　　前記第２区域微小パターンは、前記第１不均一メッシュと異なる第２不均一メッシュを含み、前記第１の方向において、第２シート抵抗値を有する、
　導電性微小パターンと、
　を含み、
　前記第１シート抵抗値は、前記第２シート抵抗値とは異なり、
　該タッチスクリーンセンサは、１ｍｍ×１ｍｍの正方形区域を有する該接触感知領域に対して、該正方形区域のいずれもが該正方形区域全体の平均から１０％超異なる遮蔽面積率を有しないようにして、該接触感知領域にわたって均一な光透過率を有する、
　タッチスクリーンセンサ。
　　【請求項１１】
　シート抵抗が、該第１区域から該第２区域へと連続的に変化する、請求項１０に記載のタッチスクリーンセンサ。」
第４　引用文献、引用発明等
１．引用文献１について
　原査定の拒絶の理由に引用された引用文献１には、図面とともに以下の事項が記載されている。
ａ）「【００２０】
　図１は、本発明の静電容量型タッチパネル１の断面を示したものである。
【００２１】
　同図において、
静電容量型タッチパネル１は、電気絶縁性を有する透明基体１ａ上に、電極として金属細線からなる導電部１ｂが面状に形成されており、該導電部１ｂは透視を必要とする部分で網目構造をとっている
また、その導電部１ｂの表面に透明カバー層１ｅが形成され、反対面には透明粘着層１ｇ
が形成されている
【００２２】
　上記透明基板１ａは、ポリカーボネート、アクリル、ポリエチレンテレフタレート、トリアセチルセルロース等の透明樹脂フィルム、或いは透明樹脂板を使用することができるが、透明ガラス板を使用することもできる。
【００２３】
　また、
上記導電部（電極）１ｂの材質としては、
金属膜
が用いられ、透明基体１ａ上に形成した金属薄膜の
エッチング
により幾何学図形からなる多数の開口部Ｃを持つ導電パターンが形成される
【００２４】
　
導電部（電極）１ｂは、開口部Ｃを形成した状態で４端子法による表面抵抗値が１Ω／ｃｍ
２
以下となるように、使用する材質、厚みが決定される
【００２５】
　
上記網目開口の形状は、多角形で構成するのが好ましい
三角形、四角形、六角形等の図形のうち、
一種類の図形からなる網目を規則正しく配列されたものの方が目立ちにくいという利点がある
【００２６】
　図４〜図６は上記網目構造の一部を拡大して示したものである。
【００２７】
　図４に示す
電極の網目パターンは、
静電容量型タッチパネル１における光線透過率が７０％以上確保できるようになっている
【００２８】
　透明性の尺度である上記光線透過率とは、特定の色温度をもった光源から出たあらゆる波長の光が試料面を通過した全光量を対象とする全光線透過率を意味する。また、光線透過率が７０％を下回ると、静電容量型タッチパネル１の導電部（電極）１ｂが暗く見えてしまう。そのため、その存在が目障りになる。
【００２９】
　上記光線透過率は日本電色工業社製の分光測定器（型番ＮＤＨ２０００）を用いて測定したものである。ただし、空気層における光線透率１００％を基準としている。
【００３０】
　また、光線透過率は導電部（電極）１ｂ上に透明カバー層１ｅが形成されている場合は、その透明カバー層１ｅを含めた状態で測定され、透明粘着層１ｇが設けられている場合は、その透明粘着層１ｇを含めた状態で測定される。
【００３１】
　また、
方形の輪郭を形取るＸ方向の極細金属線（極細帯）１ｉおよびＹ方向の極細金属線（極細帯）１ｊの線幅ｗはそれぞれ３０μｍ以下の等幅に形成され
電極の存在が認識されにくい
【００３２】
　本実施形態において、
静電容量型タッチパネル１の光線透過率は、上記極細金属線１ｉおよび１ｊの線幅とそれら極細金属線１ｉおよび１ｊで囲まれることによって形成される開口部Ｃのサイズとの組み合わせを選択することによって７０％以上の光線透過率を確保できるようにしている
ｂ）「【００４０】
　更にＬＣＤ等の画素を有す
るディスプレイの前面に静電容量型タッチパネル１を配置する
ｃ）「【００５７】
　
更に、入力者の目に触れる部分でも、複数の網目内に対して線状に付加され、または複数の網目輪郭に対して帯状に付加され、それらの網目を通過する光量を減衰し得る減光部を形成し、当該減光部を連続的または断続的に形成することにより文字、図柄を表現してもよい
【００５８】
　例えば、図１５は文字部及び文字影部の形成された部分を拡大したものである。
ロゴ１ｄは導電部１ｂで構成されたメッシュ部１０ａ上に形成されており、文字部１０ｂとその文字部１０ｂの影を表す文字影部１０ｃとの組み合わせによって構成されている
【００５９】
　
文字部１０ｂは、
メッシュ部１０ａの導電線よりも太幅の導電線からなる導電部（太帯）１０ｄで構成されており、メッシュ部１０ａにおける開口部１０ｆの開口面積よりも文字部１０ｂにおける開口部１０ｅの開口面積を小さく設定することにより光線透過率を変化させ、
文字部１０ｂが浮き立つようにしている
【００６０】
　一方、図１５に示した
文字影部１０ｃは、
文字部１０ｂの導電線と同幅であるが、文字部１０ｂよりもさらに密な網目パターンからなる導電部１０ｇで構成されており、文字部１０ｃにおける開口部１０ｅの開口面積よりも文字影部１０ｃにおける開口部１０ｈの開口面積を小さく設定することにより、文字影部１０ｃが強調されるようになっている
ｄ）「【００８８】
＜
実施例
　厚さ１３０μｍの
透明なポリカーボネートフィルム上に、
厚さ１２μｍの銅箔を透明接着剤で接着し、フォトリソグラフィによってスリット６の入った網目パターン５からなるレジスト層を形成し、化学エッチングを行うことで
透光性電極を作製した
【００８９】
　
この透光性電極は、網目５ａの開口が正六角形となるように主として導電部の線幅が２５μｍ、一つの網目５ａにおける一辺の長さＳｂが５００μｍに設定されて
いる
このような網目パターン上に特定入力領域および該領域から電極端子までの回路パターンを構成するようにスリット幅Ｓが６０μｍからなるスリット６を形成した
上記特定入力領域においては、線幅を１００μｍとすることにより他の部分とは開口率を変化させた正六角形格子を記号等の形に沿って形成し、「入力ボタン柄」を設けている
【００９０】
　次いで、この透光性電極が形成されたフィルムを射出成形用金型内に挿入し、ポリカーボネート樹脂をキャビティ内に射出することにより、
透光性電極が形成されたフィルムの電極面側に厚さ１ｍｍの断面太鼓型の成形板を
一体化した
【００９１】
　次に、ポリカーボネートフィルムの成形板と一体化した面とは
反対側の面には、
透明アクリル系両面粘着フィルムを貼り付けた
【００９２】
　端子部上には、カーボンペーストを印刷、乾燥してカーボン膜を形成し、静電容量型タッチパネルを得た。
【００９３】
　
このようにして作製した静電容量型タッチパネルの光線透過率は７８％であった
成形板との一体化前に測定した透光性電極の４端子法による表面抵抗値が０．６Ω／ｃｍ２であった
【００９４】
　剥離シートを剥がし、
この静電容量型タッチパネルをＤＶＤプレイヤーの有機ＥＬ面発光パネルに貼り付けた
　上記下線部及び関連箇所の記載によれば、引用文献１には、静電容量型タッチパネルとして、以下の発明（以下、「引用発明」という。）が記載されている。
　「電気絶縁性を有する透明基体１ａ上に、電極として金属細線からなる導電部１ｂが面状に形成されており、該導電部１ｂは透視を必要とする部分で網目構造をとっており、また、その導電部１ｂの表面に透明カバー層１ｅが形成され、反対面には透明粘着層１ｇが形成されている、静電容量型タッチパネル１であり、
　上記導電部（電極）１ｂの材質としては、金属膜が用いられ、透明基体１ａ上に形成した金属薄膜のエッチングにより幾何学図形からなる多数の開口部Ｃを持つ導電パターンが形成され、
　導電部（電極）１ｂは、開口部Ｃを形成した状態で４端子法による表面抵抗値が１Ω／ｃｍ２以下となるように、使用する材質、厚みが決定され、
　上記網目開口の形状は、多角形で構成するのが好ましく、三角形、四角形、六角形等の図形のうち、一種類の図形からなる網目を規則正しく配列されたものの方が目立ちにくいという利点があり、
　電極の網目パターンは、静電容量型タッチパネル１における光線透過率が７０％以上確保できるようになっており、
　方形の輪郭を形取るＸ方向の極細金属線（極細帯）１ｉおよびＹ方向の極細金属線（極細帯）１ｊの線幅ｗはそれぞれ３０μｍ以下の等幅に形成され、電極の存在が認識されにくく、
　静電容量型タッチパネル１の光線透過率は、上記極細金属線１ｉおよび１ｊの線幅とそれら極細金属線１ｉおよび１ｊで囲まれることによって形成される開口部Ｃのサイズとの組み合わせを選択することによって７０％以上の光線透過率を確保できるようにしており、
　ディスプレイの前面に静電容量型タッチパネル１が配置されるものであり、
　更に、入力者の目に触れる部分でも、複数の網目内に対して線状に付加され、または複数の網目輪郭に対して帯状に付加され、それらの網目を通過する光量を減衰し得る減光部を形成し、当該減光部を連続的または断続的に形成することにより文字、図柄を表現するものであり、
　ロゴ１ｄは導電部１ｂで構成されたメッシュ部１０ａ上に形成されており、文字部１０ｂとその文字部１０ｂの影を表す文字影部１０ｃとの組み合わせによって構成されており、
　文字部１０ｂは、メッシュ部１０ａの導電線よりも太幅の導電線からなる導電部（太帯）１０ｄで構成されており、メッシュ部１０ａにおける開口部１０ｆの開口面積よりも文字部１０ｂにおける開口部１０ｅの開口面積を小さく設定することにより光線透過率を変化させ、文字部１０ｂが浮き立つようにしており、
　文字影部１０ｃは、文字部１０ｂの導電線と同幅であるが、文字部１０ｂよりもさらに密な網目パターンからなる導電部１０ｇで構成されており、文字部１０ｃにおける開口部１０ｅの開口面積よりも文字影部１０ｃにおける開口部１０ｈの開口面積を小さく設定することにより、文字影部１０ｃが強調されるようになっているものであり、
　実施例としては、
　透明なポリカーボネートフィルム上に、厚さ１２μｍの銅箔を透明接着剤で接着し、フォトリソグラフィによってスリット６の入った網目パターン５からなるレジスト層を形成し、化学エッチングを行うことで透光性電極を作製し、
　この透光性電極は、網目５ａの開口が正六角形となるように主として導電部の線幅が２５μｍ、一つの網目５ａにおける一辺の長さＳｂが５００μｍに設定されており、
　このような網目パターン上に特定入力領域および該領域から電極端子までの回路パターンを構成するようにスリット幅Ｓが６０μｍからなるスリット６を形成し、
　上記特定入力領域においては、線幅を１００μｍとすることにより他の部分とは開口率を変化させた正六角形格子を記号等の形に沿って形成し、『入力ボタン柄』を設け、
　透光性電極が形成されたフィルムの電極面側に厚さ１ｍｍの断面太鼓型の成形板を一体化し、
　反対側の面には、透明アクリル系両面粘着フィルムを貼り付け、
　このようにして作製した静電容量型タッチパネルの光線透過率は７８％であり、また、成形板との一体化前に測定した透光性電極の４端子法による表面抵抗値が０．６Ω／ｃｍ２であり、
　この静電容量型タッチパネルをＤＶＤプレイヤーの有機ＥＬ面発光パネルに貼り付けた、
　静電容量型タッチパネル１。」
第５　対比・判断
１．本願発明１について
（１）対比
　本願発明１と引用発明とを対比する。 
ア．引用発明は「ディスプレイの前面に静電容量型タッチパネル１が配置されるもの」であるから、引用発明の「静電容量型タッチパネル１」は本願発明１の「タッチスクリーンセンサ」に相当する。
イ．引用発明の「電気絶縁性を有する透明基体１ａ」は、本願発明１の「可視光透明基材」に相当する。
ウ．引用発明の「透明基体１ａ上に形成した金属薄膜のエッチングにより」形成された「幾何学図形からなる多数の開口部Ｃを持つ導電パターン」は、「方形の輪郭を形取るＸ方向の極細金属線（極細帯）１ｉおよびＹ方向の極細金属線（極細帯）１ｊの線幅ｗはそれぞれ３０μｍ以下の等幅に形成され、電極の存在が認識されにく」いものであるから、「金属配線」を含む「導電性微小パターン」といい得るものである。
　引用発明は「このような網目パターン上に特定入力領域および該領域から電極端子までの回路パターンを構成するようにスリット幅Ｓが６０μｍからなるスリット６を形成」するものであるから、引用発明の「導電パターン」は「特定入力領域」にも設けられるものであり、タッチパネルは指等の接触を感知して入力を行うものであることを考慮すれば、当該「特定入力領域」は「接触感知領域」といい得るものである。
　また、引用発明は「特定入力領域においては、線幅を１００μｍとすることにより他の部分とは開口率を変化させた正六角形格子を記号等の形に沿って形成し、「入力ボタン柄」を設け」るものであるから、引用発明の「特定入力領域」に設けられた「導体パターン」は、「『入力ボタン柄』を形成する部分」と「他の部分」とから成るものであり、「『入力ボタン柄』を形成する部分」は「複数の網目内に対して線状に付加され、または複数の網目輪郭に対して帯状に付加され、それらの網目を通過する光量を減衰し得る減光部を形成」することにより形成されたものであるから、「『入力ボタン柄』を形成する部分」と「他の部分」とで導体のパターンは異なるものであり、「『入力ボタン柄』を形成する部分」は「第２区域微小パターン」と、「他の部分」は「第１区域微小パターン」ともいい得る。
　以上のことを総合すると、引用発明の「透明基体１ａ上に形成した金属薄膜のエッチングにより」形成された「幾何学図形からなる多数の開口部Ｃを持つ導電パターン」は、本願発明１の「前記可視光透明基材の上又は中に配置される導電性微小パターンであって、前記微小パターンは、接触感知領域内の第１区域微小パターン及び第２区域微小パターンを含み、前記第１区域微小パターン及び前記第２区域微小パターンの各々は、均一の厚さ及び組成を有する金属配線を含む、導電性微小パターン」と「前記可視光透明基材の上又は中に配置される導電性微小パターンであって、前記微小パターンは、接触感知領域内の第１区域微小パターン及び第２区域微小パターンを含み、前記第１区域微小パターン及び前記第２区域微小パターンの各々は、金属配線を含む、導電性微小パターン」である点で共通するといえる。
エ．引用発明の「導電部（電極）１ｂは、開口部Ｃを形成した状態で４端子法による表面抵抗値が１Ω／ｃｍ２以下となるように、使用する材質、厚みが決定され」、「電極の網目パターンは、静電容量型タッチパネル１における光線透過率が７０％以上確保できるようになって」いるものであるから、引用発明の「導電パターン」が、所定の方向において抵抗値を有し、一定の透明性を有するものであることは明らかであり、引用発明の「特定入力領域」に設けられた「導電パターン」のうち「他の部分」の「導電パターン」は、本願発明１の「前記第１区域微小パターンは、第１の方向において、第１シート抵抗値を有する第１メッシュを含み、可視光透明であり、少なくとも９０％の開口を有」することと「前記第１区域微小パターンは、第１の方向において、第１シート抵抗値を有する第１メッシュを含み、可視光透明であり、開口を有」する点で共通するといえる。
オ．上記ウ．で述べたように、引用発明は、「『入力ボタン柄』を形成する部分」と「他の部分」とで導体のパターンは異なるものであり、導体パターンが異なれば、抵抗値も異なったものとなることは明らかであるから、引用発明の「特定入力領域」に設けられた「導電パターン」のうち「『入力ボタン柄』を形成する部分」の「導電パターン」は、本願発明１の「前記第２区域微小パターンは、前記第１メッシュと異なる第２メッシュを含み、前記第１の方向において、第２シート抵抗値を有し、　前記第１シート抵抗値は、前記第２シート抵抗値とは異な」ることに相当する。
　したがって、両者は以下の一致点と相違点とを有する。 
　
〈一致点〉
「タッチスクリーンセンサであって、
　可視光透明基材と、
　前記可視光透明基材の上又は中に配置される導電性微小パターンであって、前記微小パターンは、接触感知領域内の第１区域微小パターン及び第２区域微小パターンを含み、前記第１区域微小パターン及び前記第２区域微小パターンの各々は、金属配線を含む、導電性微小パターンと、
　を含み、
　前記第１区域微小パターンは、第１の方向において、第１シート抵抗値を有する第１メッシュを含み、可視光透明であり、開口を有し、
　前記第２区域微小パターンは、前記第１メッシュと異なる第２メッシュを含み、前記第１の方向において、第２シート抵抗値を有し、
　前記第１シート抵抗値は、前記第２シート抵抗値とは異なる、
　タッチスクリーンセンサ。」
〈相違点１〉
　本願発明１の「第１区域微小パターン及び第２区域微小パターン」の各々は、「均一の厚さ及び組成を有する金属配線を含む」ものであるのに対し、引用発明の「導電パターン」は、当該導電パターンを形成する「極細金属線」が「均一の厚さ及び塑性を有する」と特定されていない点。
〈相違点２〉
　本願発明１の「第１区域微小パターン」は、「少なくとも９０％の開口」を有するものであるのに対し、引用発明の「導電パターン」は、「開口部Ｃ」を有するものの、当該「開口部Ｃ」が「少なくとも９０％の開口」であると特定されていない点。
〈相違点３〉
　本願発明１は、「１ｍｍ×１ｍｍの正方形区域を有する該接触感知領域に対して、該正方形区域のいずれもが該正方形区域全体の平均から１０％超異なる遮蔽面積率を有しないようにして、該接触感知領域にわたって均一な光透過率を有する」ものであるのに対して、引用発明は、そのような光透過率を有するものと特定されていない点。
（２）相違点についての判断
　事案に鑑みて、上記相違点３について先に検討する。
　引用発明の「特定入力領域」に設けられた「導電パターン」のうち「『入力ボタン柄』を形成する部分」の「導電パターン」は、「線幅を１００μｍとすることにより他の部分とは開口率を変化させた正六角形格子を記号等の形に沿って形成」したものであり、引用発明は、「特定入力領域」に設けられた「導電パターン」の「『入力ボタン柄』を形成する部分」と「他の部分」とで、光透過率を変えることにより文字、図柄を表現するものである。
　そして、「『入力ボタン柄』を形成する部分」と「他の部分」とで、光透過率を均一とすると、『入力ボタン柄』を視認できなくなることは明らかであるから、引用発明において、「特定入力領域」に設けられた「導電パターン」の「『入力ボタン柄』を形成する部分」と「他の部分」とで、光透過率を均一する、即ち、「特定入力領域」（接触感知領域）にわたって均一な透過率とすることには、阻害要因があるといえる。
　したがって、引用発明において、「特定入力領域」（接触感知領域）にわたって均一な透過率とし、本願発明１の相違点３に係る構成とすることは、当業者が容易になし得たこととはいえず、本願発明１は、相違点１，２を検討するまでもなく、当業者であっても引用発明に基づいて容易に発明できたものであるとはいえない。
２．請求項２，３について
　本願発明２，３は、本願発明１を直接引用するものであり、上記「１．請求項１について」にて述べたのと同様の理由により、引用発明に基づいて容易に発明できたものであるとはいえない。
３．請求項４について
（１）対比
　本願発明４と引用発明とを対比する。 
ア．引用発明は「ディスプレイの前面に静電容量型タッチパネル１が配置されるもの」であるから、引用発明の「静電容量型タッチパネル１」は本願発明４の「タッチスクリーンセンサ」に相当する。
イ．引用発明の「電気絶縁性を有する透明基体１ａ」は、本願発明４の「可視光透明基材」に相当する。
ウ．引用発明の「透明基体１ａ上に形成した金属薄膜のエッチングにより」形成された「幾何学図形からなる多数の開口部Ｃを持つ導電パターン」は、「方形の輪郭を形取るＸ方向の極細金属線（極細帯）１ｉおよびＹ方向の極細金属線（極細帯）１ｊの線幅ｗはそれぞれ３０μｍ以下の等幅に形成され、電極の存在が認識されにく」いものであるから、「二次元の金属メッシュ」を含む「導電性微小パターン」といい得るものである。
　引用発明は「このような網目パターン上に特定入力領域および該領域から電極端子までの回路パターンを構成するようにスリット幅Ｓが６０μｍからなるスリット６を形成」するものであるから、引用発明の「導電パターン」は「特定入力領域」にも設けられるものであり、タッチパネルは指等の接触を感知して入力を行うものであることを考慮すれば、当該「特定入力領域」は「接触感知領域」といい得るものである。
　そして、引用発明の「特定入力領域」に設けられた「導体パターン」は、他の箇所に設けられた「導体パターン」と区別するために、「第１区域微小パターン」といい得る。
　以上のことを総合すると、引用発明の「透明基体１ａ上に形成した金属薄膜のエッチングにより」形成された「幾何学図形からなる多数の開口部Ｃを持つ導電パターン」は、本願発明４の「前記可視光透明基材の上又は中に配置される導電性微小パターンであって、前記微小パターンは、接触感知領域内に均一の厚さ及び組成を有する二次元の不均一な第１金属メッシュを含む第１区域微小パターンを含む、導電性微小パターン」と「前記可視光透明基材の上又は中に配置される導電性微小パターンであって、前記微小パターンは、接触感知領域内に二次元の第１金属メッシュを含む第１区域微小パターンを含む、導電性微小パターン」である点で共通するといえる。
エ．引用発明の「導電部（電極）１ｂは、開口部Ｃを形成した状態で４端子法による表面抵抗値が１Ω／ｃｍ２以下となるように、使用する材質、厚みが決定され」、「電極の網目パターンは、静電容量型タッチパネル１における光線透過率が７０％以上確保できるようになって」いるものであるから、引用発明の「導電パターン」が、抵抗値を有し、一定の透明性を有するものであることは明らかであり、引用発明の「特定入力領域」に設けられた「導電パターン」は、本願発明４の「前記第１区域微小パターンは、異方性第１シート抵抗を有し、可視光透明であり、少なくとも９０％の開口を有」することと「前記第１区域微小パターンは、第１シート抵抗を有し、可視光透明であり、開口を有」する点で共通するといえる。
　したがって、両者は以下の一致点と相違点とを有する。 
　
〈一致点〉
「タッチスクリーンセンサであって、
　可視光透明基材と、
　前記可視光透明基材の上又は中に配置される導電性微小パターンであって、前記微小パターンは、接触感知領域内に二次元の第１金属メッシュを含む第１区域微小パターンを含む、導電性微小パターンと、
　を含み、
　前記第１区域微小パターンは、第１シート抵抗を有し、可視光透明であり、開口を有する、
　タッチスクリーンセンサ。」
〈相違点１〉
　本願発明４の「第１区域微小パターン」は、「均一の厚さ及び組成を有する二次元の不均一な第１金属メッシュを含む」ものであるのに対し、引用発明の「透明基体１ａ上に形成した金属薄膜のエッチングにより」形成された「幾何学図形からなる多数の開口部Ｃを持つ導電パターン」を形成する「極細金属線」が「均一の厚さ及び塑性を有する二次元の不均一な」金属メッシュであると特定されていない点。
〈相違点２〉
　本願発明４の「第１区域微小パターン」は、「異方性第１シート抵抗」を有するものであるのに対し、引用発明の「導電パターン」は、抵抗値を有するものの、「異方性」抵抗ではない点。
〈相違点３〉
　本願発明４の「第１区域微小パターン」は、「少なくとも９０％の開口」を有するものであるのに対し、引用発明の「導電パターン」は、「開口部Ｃ」を有するものの、当該「開口部Ｃ」が「少なくとも９０％の開口」であると特定されていない点。
〈相違点４〉
　本願発明４は、「１ｍｍ×１ｍｍの正方形区域を有する該接触感知領域に対して、該正方形区域のいずれもが該正方形区域全体の平均から１０％超異なる遮蔽面積率を有しないようにして、該接触感知領域にわたって均一な光透過率を有する」ものであるのに対して、引用発明は、そのような光透過率を有するものと特定されていない点。
（２）相違点についての判断
　事案に鑑みて、上記相違点４について先に検討する。
　引用発明の「特定入力領域」に設けられた「導電パターン」のうち「『入力ボタン柄』を形成する部分」の「導電パターン」は、「線幅を１００μｍとすることにより他の部分とは開口率を変化させた正六角形格子を記号等の形に沿って形成」したものであり、引用発明は、「特定入力領域」に設けられた「導電パターン」の「『入力ボタン柄』を形成する部分」と「他の部分」とで、光透過率を変えることにより文字、図柄を表現するものである。
　そして、「『入力ボタン柄』を形成する部分」と「他の部分」とで、光透過率を均一とすると、『入力ボタン柄』を視認できなくなることは明らかであるから、引用発明において、「特定入力領域」に設けられた「導電パターン」の「『入力ボタン柄』を形成する部分」と「他の部分」とで、光透過率を均一する、即ち、「特定入力領域」（接触感知領域）にわたって均一な透過率とすることには、阻害要因があるといえる。
　したがって、引用発明において、「特定入力領域」（接触感知領域）にわたって均一な透過率とし、本願発明４の相違点４に係る構成とすることは、当業者が容易になし得たこととはいえず、本願発明４は、相違点１〜３を検討するまでもなく、当業者であっても引用発明に基づいて容易に発明できたものであるとはいえない。
４．請求項５〜９について
　本願発明５〜９は、本願発明４を直接又は間接的に引用するものであり、上記「３．請求項４について」にて述べたのと同様の理由により、引用発明に基づいて容易に発明できたものであるとはいえない。
５．請求項１０について
（１）対比
　本願発明１０と引用発明とを対比する。 
ア．引用発明は「ディスプレイの前面に静電容量型タッチパネル１が配置されるもの」であるから、引用発明の「静電容量型タッチパネル１」は本願発明１０の「タッチスクリーンセンサ」に相当する。
イ．引用発明の「電気絶縁性を有する透明基体１ａ」は、本願発明１０の「可視光透明基材」に相当する。
ウ．引用発明の「透明基体１ａ上に形成した金属薄膜のエッチングにより」形成された「幾何学図形からなる多数の開口部Ｃを持つ導電パターン」は、「方形の輪郭を形取るＸ方向の極細金属線（極細帯）１ｉおよびＹ方向の極細金属線（極細帯）１ｊの線幅ｗはそれぞれ３０μｍ以下の等幅に形成され、電極の存在が認識されにく」いものであるから、「金属配線」を含む「導電性微小パターン」といい得るものである。
　引用発明は「このような網目パターン上に特定入力領域および該領域から電極端子までの回路パターンを構成するようにスリット幅Ｓが６０μｍからなるスリット６を形成」するものであるから、引用発明の「導電パターン」は「特定入力領域」にも設けられるものであり、タッチパネルは指等の接触を感知して入力を行うものであることを考慮すれば、当該「特定入力領域」は「接触感知領域」といい得るものである。
　また、引用発明は「特定入力領域においては、線幅を１００μｍとすることにより他の部分とは開口率を変化させた正六角形格子を記号等の形に沿って形成し、「入力ボタン柄」を設け」るものであるから、引用発明の「特定入力領域」に設けられた「導体パターン」は、「『入力ボタン柄』を形成する部分」と「他の部分」とから成るものであり、「『入力ボタン柄』を形成する部分」は「複数の網目内に対して線状に付加され、または複数の網目輪郭に対して帯状に付加され、それらの網目を通過する光量を減衰し得る減光部を形成」することにより形成されたものであるから、「『入力ボタン柄』を形成する部分」と「他の部分」とで導体のパターンは異なるものであり、「『入力ボタン柄』を形成する部分」は「第２区域微小パターン」と、「他の部分」は「第１区域微小パターン」ともいい得る。
　以上のことを総合すると、引用発明の「透明基体１ａ上に形成した金属薄膜のエッチングにより」形成された「幾何学図形からなる多数の開口部Ｃを持つ導電パターン」は、本願発明１０の「前記可視光透明基材の上又は中に配置される導電性微小パターンであって、前記微小パターンは、接触感知領域内の第１区域微小パターン及び第２区域微小パターンを含み、前記第１区域微小パターン及び前記第２区域微小パターンの各々は、均一の厚さを有する金属配線を含み、前記導電性微小パターンは、５００ナノメートル未満の厚さ、及び０．５〜５マイクロメートルの幅を有する金属の線形導電性構造を含」む「導電性微小パターン」と「前記可視光透明基材の上又は中に配置される導電性微小パターンであって、前記微小パターンは、接触感知領域内の第１区域微小パターン及び第２区域微小パターンを含み、前記第１区域微小パターン及び前記第２区域微小パターンの各々は、金属配線を含」む「導電性微小パターン」である点で共通するといえる。
エ．引用発明の「導電部（電極）１ｂは、開口部Ｃを形成した状態で４端子法による表面抵抗値が１Ω／ｃｍ２以下となるように、使用する材質、厚みが決定され」、「電極の網目パターンは、静電容量型タッチパネル１における光線透過率が７０％以上確保できるようになって」いるものであるから、引用発明の「導電パターン」が、所定の方向において抵抗値を有し、一定の透明性を有するものであることは明らかであり、引用発明の「特定入力領域」に設けられた「導電パターン」のうち「他の部分」の「導電パターン」は、本願発明１０の「前記第１区域微小パターンは、第１の方向において５〜５００Ω／スクエアの第１シート抵抗値を有する第１不均一メッシュを含み、可視光透明であり、９５％〜９９．５％の開口を有」することと「前記第１区域微小パターンは、第１の方向において第１シート抵抗値を有する第１メッシュを含み、可視光透明であり、開口を有」する点で共通するといえる。
オ．上記ウ．で述べたように、引用発明は、「『入力ボタン柄』を形成する部分」と「他の部分」とで導体のパターンは異なるものであり、導体パターンが異なれば、抵抗値も異なったものとなることは明らかであるから、引用発明の「特定入力領域」に設けられた「導電パターン」のうち「『入力ボタン柄』を形成する部分」の「導電パターン」は、本願発明１０の「前記第２区域微小パターンは、前記第１不均一メッシュと異なる第２不均一メッシュを含み、前記第１の方向において、第２シート抵抗値を有する」ものであり「前記第１シート抵抗値は、前記第２シート抵抗値とは異な」ることと「前記第２区域微小パターンは、前記第１メッシュと異なる第２メッシュを含み、前記第１の方向において、第２シート抵抗値を有する」ものであり「前記第１シート抵抗値は、前記第２シート抵抗値とは異な」る点で共通するといえる。
　したがって、両者は以下の一致点と相違点とを有する。 
　
〈一致点〉
「タッチスクリーンセンサであって、
　可視光透明基材と、
　前記可視光透明基材の上又は中に配置される導電性微小パターンであって、前記微小パターンは、
　　接触感知領域内の第１区域微小パターン及び第２区域微小パターンを含み、前記第１区域微小パターン及び前記第２区域微小パターンの各々は、金属配線を含み、
　　前記第１区域微小パターンは、第１の方向において第１シート抵抗値を有する第１メッシュを含み、可視光透明であり、開口を有し、
　　前記第２区域微小パターンは、前記第１メッシュと異なる第２メッシュを含み、前記第１の方向において、第２シート抵抗値を有する、
　導電性微小パターンと、
　を含み、
　前記第１シート抵抗値は、前記第２シート抵抗値とは異なる、
　タッチスクリーンセンサ。」
〈相違点１〉
　本願発明１０の「第１区域微小パターン及び第２区域微小パターン」の各々は、「均一の厚さを有する金属配線を含む」ものであるのに対し、引用発明の「導電パターン」は、当該導電パターンを形成する「極細金属線」が「均一の厚さを有する」と特定されていない点。
〈相違点２〉
　本願発明１０の「導電性微小パターン」は、「５００ナノメートル未満の厚さ、及び０．５〜５マイクロメートルの幅を有する金属の線形導電性構造」を含むものであるのに対し、引用発明の「導体パターン」は、「Ｘ方向の極細金属線（極細帯）１ｉおよびＹ方向の極細金属線（極細帯）１ｊの線幅ｗはそれぞれ３０μｍ以下の等幅に形成」されるものであり、「厚さ１２μｍの銅箔」をエッチングし「導電部の線幅が２５μｍ」の透光性電極とするものであるが、「５００ナノメートル未満の厚さ、及び０．５〜５マイクロメートルの幅を有する金属の線形導電性構造」とすると特定されていない点。
〈相違点３〉
　本願発明１０の「第１区域微小パターン」は、「第１の方向において５〜５００Ω／スクエアの第１シート抵抗値を有する第１不均一メッシュを含み、可視光透明であり、９５％〜９９．５％の開口」を有するものであるのに対し、引用発明の「導電パターン」は、シート抵抗値が「第１の方向において５〜５００Ω／スクエア」であること及びパターンが「不均一メッシュ」であることが特定されておらず、また、「開口部Ｃ」を有するものの、当該「開口部Ｃ」が「少なくとも９０％の開口」であると特定されていない点。
〈相違点４〉
　本願発明１０の「第２区域微小パターン」は、「前記第１不均一メッシュと異なる第２不均一メッシュを含」むものであるのに対し、引用発明の「導体パターン」は、「『入力ボタン柄』を形成する部分」と「他の部分」とで導体のパターンは異なるものであるものの、パターンが「不均一メッシュ」であることが特定されていない点。
〈相違点５〉
　本願発明１０は、「１ｍｍ×１ｍｍの正方形区域を有する該接触感知領域に対して、該正方形区域のいずれもが該正方形区域全体の平均から１０％超異なる遮蔽面積率を有しないようにして、該接触感知領域にわたって均一な光透過率を有する」ものであるのに対して、引用発明は、そのような光透過率を有するものと特定されていない点。
（２）相違点についての判断
　事案に鑑みて、上記相違点５について先に検討する。
　引用発明の「特定入力領域」に設けられた「導電パターン」のうち「『入力ボタン柄』を形成する部分」の「導電パターン」は、「線幅を１００μｍとすることにより他の部分とは開口率を変化させた正六角形格子を記号等の形に沿って形成」したものであり、引用発明は、「特定入力領域」に設けられた「導電パターン」の「『入力ボタン柄』を形成する部分」と「他の部分」とで、光透過率を変えることにより文字、図柄を表現するものである。
　そして、「『入力ボタン柄』を形成する部分」と「他の部分」とで、光透過率を均一とすると、『入力ボタン柄』を視認できなくなることは明らかであるから、引用発明において、「特定入力領域」に設けられた「導電パターン」の「『入力ボタン柄』を形成する部分」と「他の部分」とで、光透過率を均一する、即ち、「特定入力領域」（接触感知領域）にわたって均一な透過率とすることには、阻害要因があるといえる。
　したがって、引用発明において、「特定入力領域」（接触感知領域）にわたって均一な透過率とし、本願発明１０の相違点５に係る構成とすることは、当業者が容易になし得たこととはいえず、本願発明１０は、相違点１〜４を検討するまでもなく、当業者であっても引用発明に基づいて容易に発明できたものであるとはいえない。
６．請求項１１について
　本願発明１１は、本願発明１０を直接引用するものであり、上記「５．請求項１０について」にて述べたのと同様の理由により、引用発明に基づいて容易に発明できたものであるとはいえない。
第６　むすび
　以上のとおり、本願発明１〜１１は、当業者が引用発明に基づいて容易に発明することができたものではない。
　したがって、原査定の理由によっては、本願を拒絶することはできない。
　また、他に本願を拒絶すべき理由を発見しない。
　よって、結論のとおり審決する。